(57)【要約】【課題】Ｊ形トラップ付防油ますを、極狭小地に布設可能にする。【解決手段】Ｊ形トラップ付の防油ます１のます本体の上方に入口４、下方に出口５をそれぞれ設け、この出口５にＪ形トラップ８、９を設けた防臭・防油ます１において、入口側と出口側とのます本体に分割して回動自在にして自在胴を構成し、前記Ｊ形トラップ８、９を首振りさせたので、防臭・防油ます１と宅内排水主管１３とが接近可能となって、極狭小地でも布設できるようになった。【選択図】　　　　図２
2004076342.tif 000002
【特許請求の範囲】
【請求項１】
有底円筒状ます本体に、その上方に流入口を、下方に流出口をそれぞれ開口し、該流出口に、Ｊトラップ状に形成する第１のエルボおよびこれに接続したチ−ズまたは他の第２のエルボを接続し、これらのます本体の底方と第１のエルボ等とで封水部を形成して宅内排水管に接続可能にした合成樹脂製防臭・油分離ますにおいて、
前記ます本体を上下に分割して自在胴に構成し、前記流入口に対し前記トラップ側を大きく首振り自在にして極狭隘地でも設置可能にしたことを特徴とする合成樹脂製防臭・油分離ます。
【請求項２】
固形物阻集用かごを取出し自在に収容したます本体に、その上下略中間より上方に流入口を、下方に流出口をそれぞれ開口し、該流出口に、Ｊトラップ状に形成する第１のエルボおよびこれに接続したチ−ズまたは他の第２のエルボを接続し、これらのます本体の底方と第１のエルボ等とで封水部を形成して宅内排水管に接続可能にした合成樹脂製防臭・油分離ますにおいて、
前記ます本体の上下略中間を分割して自在胴に構成し、前記流入口に対し前記トラップ側を大きく首振り自在にして極狭隘地でも設置可能にしたことを特徴とする合成樹脂製防臭・油分離ます。
【請求項３】
前記第１のエルボの平面視での管軸に対し、チ−ズまたは他の第２のエルボの管軸を、宅内排水管側に略直交させて接着接合した請求項１または２に記載の狭隘地用合成樹脂製防臭・油分離ます。
【請求項４】
前記第１のエルボにチ−ズまたは他の第２のエルボを回動自在に接続した請求項１または２に記載の合成樹脂製防臭・油分離ます。
【発明の詳細な説明】
【０００１】
【発明の属する技術分野】
本発明は、防臭とゴミや油等の分離とを行う、いわゆる防臭・油分離ますに関するものである。
【０００２】
【従来の技術】
一般に排水設備には阻集器と呼ばれる設備があって、これは、排水中に含まれる有害・危険物、望ましくない物質、または再利用できる物質の流下を阻止して分離・収集し、残りの水液のみを自然流下で排水する装置、とされている。
【０００３】
そして、かかる阻集器の性能は、一般的にいって排水中の前記物質を完全に阻集するのではなく、可及的に阻集する能力を備えておればよい、とされており、また、阻集器には、この阻集能力の他に、トラップ機能を合せもつものが多い、とされている。
【０００４】
ところで、かかる阻集器は、その阻集対象物質の種類により、グリ−ス阻集器、オイル阻集器、砂阻集器等の専用の装置になっている。
【０００５】
更に、この特定の専用阻集器の中でも各種のものが知られている。例えば、オイル阻集器（油脂遮断装置または防油ますともいう）には、箱トラップを用いた装置、泥だめと組合せた装置、陶管を用いた装置等が知られている。
【０００６】
本出願人は、本人が先鞭をつけた塩ビ製小口径ますの開発実績を踏まえて、各種の阻集用合成樹脂製ますを提供し、好評を博している。
【０００７】
例えば、トラップ機能をもつ油分離ますを提供しているが、これを図６および図７で示す。
【０００８】
これは、掃除口付ますを基本としてＪトラップ（本明細書ではＬ形トラップまたはＬトラップともいう）ますタイプに改良した防臭・油分離ます１Ａであって、塩ビ製（合成樹脂製）ます本体２は、若干深底状の有底円筒体で構成し、その外側には掃除口３がこれと平行に立設され、該掃除口３はます本体２の底方で接続してＪトラップ状に構成している。
【０００９】
すなわち、このます本体２の上下中間より若干上方（宅内排水枝管の埋設深さに相当）に流入口４が、同中間より若干下方（封水部の形成および油阻集空間をもつ間隔）に流出口５が、それぞれ開口している。
【００１０】
この流入口４には、両口ソケット（規格上ＤＳともいう）６が水平状に接合されて、その両口ソケット６の外側に、建屋側宅内排水枝管１２が接続され、また、その内側でもって、ます本体２内に取出し自在に収容したゴミ取り用（固形物阻集用）かご７を片持ち支持し、しかもその中へ臨ませている。したがって、建屋側宅内排水枝管（例えば、台所の流しの排水管）１２からの排水が直接かご７に流入してかご７によってゴミ（流し台からの固形物）を捕集するようにしている。
【００１１】
また、流出口５には、前記のように掃除口３を形成するため、上向きに開口した第１のエルボ８Ａを接続し、この第１のエルボ８ＡにＴ字を横にしたチ−ズ９を接続し，そのＴ字の足を宅内排水枝管１４を介して宅内排水主管１３に接続してＪトラップ状ますを構成している。
【００１２】
そして、ます本体２の上方開口部には蓋用嵌合部１０を形成し、ここに不図示の円形蓋が着脱自在に覆蓋する。
【００１３】
なお、前記かご７は多孔ＳＵＳ製（金属製または合成樹脂製でも可）有底円筒体で構成している。したがって、このかご７の開口径は、ます本体２のそれより若干小径にし、かつ、ます本体２の底部より若干浮いた状態にしている。
【００１４】
また、このかご７には仕切板１１をその底部より若干浮かして取付け、流入した排水を底部へ迂回させて再び浮上させるから、油脂分の浮上分離を良好にすると共に、仕切板１１をかご７の開口部より若干立上がらせて把持部として、かご７の出入れを便利にしている。図中、１６は宅内排水主管１３に設けた分岐口３３をもつ会所ますである。
【００１５】
以上のような本出願人の提供した掃除口３をもつＪトラップタイプの防臭・油分離ます１Ａでは、トラップがＪ字ないしＬ字状になっているので、Ｕトラップに比べ、ます本体２と掃除口３とを可及的に近接させて設置面積を小スペ−ス化すると共に、ます本体１Ａを若干深底にしているので、容積を拡大したかご７が使用でき、また、円形蓋を外して阻集した油脂等を汲み出す等の阻集物の回収撤去期間を延長することができる。
【００１６】
しかも、両口ソケット６を始め、エルボ８Ａおよびチ−ズ９は規格品を用いているので、全体が簡素かつ安価となり、埋設しても信頼性が得られる。
【００１７】
尚、本出願人の提供したこの防臭・油分離ます１Ａの他に、特開平５−５１９５７号公報や特開平６−１２９００２号公報でも、Ｕトラップタイプの防臭・　分離ますが示されている。
【００１８】
これらの防臭・分離ますでは、ます本体の流出口が、ます本体の上方開口の掃除点検口周縁より平面視で内側に形成されていて、防臭・分離ますの設置面積を小スペ−ス化しており、また、この流出口に接続したＵトラップがます本体に対し、Ｕ字の一方の縦棒を中心とする範囲で首振り自在に構成しているので、Ｕトラップの出口側接続配管に自由度が得られ、特に前者の公報のものでは、Ｕトラップの出口にチ−ズを接続して掃除口を設けて掃除口付ますタイプにしたものが示されており、また、後者の公報のものでは、通水孔のない容器を取出し自在に収容したものが示されている。
【００１９】
【発明が解決しようとする課題】
ところが、前記本出願人の提供したＪトラップタイプの防臭・油分離ます１Ａでは、建屋１７と宅内排水主管１３との距離が、ＬトラップないしＪトラップタイプによって小スペ−ス化しても、図７に示すように、尚相当の間隔Ｌａをもち、更なる小スペ−ス配管の阻害をしていることがその後判明した。
【００２０】
そのため、本発明者は流出口側の配管、例えば掃除口３をます本体２に対し首振りさせて建屋１７に近接させることに着想したのであるが、この首振りをさせようとしても、トラップがＪ字ないしＬ字状になっているので、これができない。
【００２１】
そこで、前掲の公報群で示されたような首振りをさせようとすると、Ｕ字タイプのトラップとなるので、通常の宅内配管勾配で段差のない宅地に適用する場合、流出口（５）の高さが流入口４の高さに近づき油阻集機能がなくなることから、採用できない。
【００２２】
なお、Ｕトラップタイプのます分析してみると、次のことが判明した。
【００２３】
すなわち、Ｕ字の一方の縦棒を中心として首振りさせる場合、Ｕトラップがます本体から離れている場合には、そのピポットとなるＵ字の縦棒は定位置として残っており、また、Ｕトラップをます本体の内側に設けている場合には、首振りするＵ字の縦棒がます本体の外周面に当るので、総じて、Ｕトラップタイプの防臭・防油ますでは、首振りによる建屋に近接させる考えは好ましくないことが判明した。
【００２４】
ところで、流出口側の配管を首振りさせるため、いわゆる自在胴を適用することが考えられる。
【００２５】
すなわち、ます本体（２）を上下に２分割して上胴部を下胴部に対し６０度ないし９０度の範囲で回動自在にする提案（特開平７−１２７１２３号公報）が知られているが、この提案を前記本出願人の提供している防臭・油分離ます１Ａに適用しようとすると、勿論、この提案が狭隘地での施工性向上のためのものではないので、６０度ないし９０度の範囲の首振りでは、ます本体（２）が建屋１７から建屋側宅内排水枝管１２を介して突設した状態においては、尚デッドスペ−スが残り、しかも、この提案では、ます本体に設けた流入口と流出口とが、いわゆるベルトラップを介在して、相当な落差を形成しているので、通常の宅内配管を行う一般の家屋では適用困難で、その上、上胴部を首振り状態にしているので、トラップを形成している下胴部の首振りにならず、総じてこの提案は採用できない。
【００２６】
そこで、本発明は、Ｊトラップタイプの防臭・油分離ます１Ａにおいて、建屋と宅内排水主管との距離を更に縮めることを主たる目的として、建屋から排水の水流速を可及的に抑制して油阻集機能を更に向上させることを副たる目的とする。
【００２７】
【課題を解決するための手段】
かかる目的を達成するため、本発明の要旨とするところは、１）有底円筒状ます本体に、その上方に流入口を、下方に流出口をそれぞれ開口し、該流出口に、Ｊトラップ状に形成する第１のエルボおよびこれに接続したチ−ズまたは他の第２のエルボを接続し、これらのます本体の底方と第１のエルボ等とで封水部を形成して宅内排水管に接続可能にした合成樹脂製防臭・油分離ますにおいて、前記ます本体を上下に分割して自在胴に構成し、前記流入口に対し前記トラップ側を大きく首振り自在にして極狭隘地でも設置可能にしたことを特徴とする合成樹脂製防臭・油分離ますにあり、また、２）固形物阻集用かごを取出し自在に収容したます本体に、その上下略中間より上方に流入口を、下方に流出口をそれぞれ開口し、該流出口に、Ｊトラップ状に形成する第１のエルボおよびこれに接続したチ−ズまたは他の第２のエルボを接続し、これらのます本体の底方と第１のエルボ等とで封水部を形成して宅内排水管に接続可能にした合成樹脂製防臭・油分離ますにおいて、前記ます本体の上下略中間を分割して自在胴に構成し、前記流入口に対し前記トラップ側を大きく首振り自在にして極狭隘地でも設置可能にしたことを特徴とする合成樹脂製防臭・油分離ますにあり、また、３）前記第１のエルボの平面視での管軸に対し、チ−ズまたは他の第２のエルボの管軸を、宅内排水管側に略直交させて接着接合した請求項１または２に記載の狭隘地用合成樹脂製防臭・油分離ますにあり、また、４）前記第１のエルボにチ−ズまたは他の第２のエルボを回動自在に接続した請求項１または２に記載の合成樹脂製防臭・油分離ますにある。
【００２８】
【発明の実施の形態】
本発明を添付図面に示す実施例により詳細に述べる。
【００２９】
図１は本発明の実施例の全体の模式斜視図、図２は図１の実施例の説明のための使用例を示す平面図、図３は同実施例の分解断面図、図４は図３の要部平面図、図５は図３の他の要部詳細断面図であって、従来例を示す図６の断面図および図７の従来例の説明のための使用例を示す平面図と同一部分は同一符号を付し、その説明を簡略化する。
【００３０】
本発明の実施例の防臭・油分離ます１は、主として合成樹脂製（射出成形製の塩ビ製）で、狭隘な宅地（勿論、狭隘でない宅地にも適用可）に布設される塩ビ配管に好都合に適用できるものである。
【００３１】
そのため、掃除口付ますの形態を基本にしてＬトラップないしＪトラップタイプで且つ自在胴（分割した胴が互に回動すること）に構成し、Ｌ字水平部の突出した分すべてをなくすように、トラップ側の首振り（水平方向の回動）を大きくでき、すなわち、前記分析したＵトラップ付のますに比べ建屋１７に近接させ、例えば最大約２２０度迄首振りできるようにして、狭隘地における小スペ−ス化配管を図って、そこでの施工性を容易化している。
【００３２】
また、この自在胴は、このます本体２を上下に略等分に２分割して上胴部２ａに対し、下胴部２ｂを、図１Ａ矢のように大きく回動自在にしたものである。
【００３３】
このます本体２の概略寸法は、例えば、口径２００ｍｍφ、全体の高さ約５８０ｍｍの若干深底の有底円筒体で構成しているが、上下に２分割しているので、上、下胴部２ａ、２ｂ共、射出成形可能となって量産化によるコストダウンが得られるようになっている。
【００３４】
このます本体４には、掃除口３がこれと平行に立上っており、この掃除口３はます本体２の底方（底部１８より若干上方で開口して泥だめ効果を向上させているが、底部１８でも可）で接続して、このます本体２の底方と後記第１のエルボ体８とで封水部を形成したＪ形トラップタイプに構成している。
【００３５】
すなわち、このます本体２の上下方向の中間よりやや上方、すなわち、上部胴２ａに流入口４が、同中間よりやや下方に、すなわち、下胴部２ｂに流出口５がそれぞれ開口しており、この流入口４には、外向きに受口１９を一体的に突設し建屋側宅内排水枝管１２を接着接合できるようにしている。この受口１９には縮径用インクリ−ザを内嵌合してもよい。
【００３６】
また、その内向きには支持用短管２０を一体的に突設し（射出成形時に一体成形）、この支持用短管２０でもって、ます本体２内に取出し自在に収容したかご７を、該支持用短管２０の嶺面に形成した円弧状二条の係止片２１に引掛けて片持ち支持すると共に、その開口部をかご７内に臨ませている。
【００３７】
このかご７はＳＵＳ製多孔状有底円筒体で構成し、仕切板１１をその底部より若干浮かして取付け、流入した排水かご底部へ迂回させ、再び浮上させるようにしている。
【００３８】
また、このかご７には取っ手２２を取付け、かご７の出入れを便利にしている。勿論、このます本体２は、かご７なしの溜めますでもよい。
【００３９】
前記流出口５には、掃除口３を形成するため、上向きに開口した第１のエルボ体８を一体的に設け（射出整形時に一体成形してもよいが、別体で接着接合による一体化でもよい。前者の場合部品点数が少なくなり、製品コストが安価となる）、すなわち、下胴部２ｂに上向き開口部を設けており、この第１のエルボ体８に、Ｔ字を横にしたチ−ズ９を接着接合し、そのＴ字の足、すわなちチ−ズ９の流出口を短管状の宅内排水枝管１４に接着接合し、この宅内排水枝管１４を会所ます１６の分岐口３３に接続している。
【００４０】
なお、このチ−ズ９を第１のエルボ体８に接合するとき、平面視でチ−ズ９の流出口を第１のエルボ体８の管軸と直交させておくと、すなわち、第１のエルボ（８）の平面視での管軸に対し、チ−ズ９の平面視での管軸を宅内排水主管１３側に略直交させて接着接合させておくと、狭隘地専用の防臭・油分離ます１にすることができ、しかも、流入口４からの排水の流速を直交により前記仕切板１１と相俟って抑制できる。なお、この会所ます１６は、宅内排水主管１３に介在させている。
【００４１】
そして、これらの第１のエルボ体８（ないしチ−ズ９）およびます本体２の底方によって封水部を形成したＪ形トラップタイプを構成している。
【００４２】
また、ます本体２の上方開口部には、蓋用嵌合部１０を形成し、ここに円形蓋２３を着脱自在に覆蓋し、前記チ−ズ９の上方開口部２４にも小円形蓋２５を着脱自在に覆蓋し、Ｊトラップに対して点検・掃除をするようにしている。
【００４３】
この小円形蓋２５の覆蓋位置は、円形蓋２３の覆蓋地面位置より若干下方になって埋設されるので、Ｊトラップに対する点検・掃除は通常行われない。した　がって、このチ−ズ９は第２のエルボを用いて掃除口３を省略してもよい。
【００４４】
ここにおいて、ます本体２を自在胴に構成するため、上胴部２ａと下胴部２ｂとに分割してその両者を図１Ａ矢のように大きく回動自在している。
【００４５】
そのため、図５に示すように上胴部２ａの下端を受口部２６に形成し、下胴部２ｂの上端側を差口部２７に形成して、この差口部２７を受口部２６に、その嵌合する時に外れないようなシ−ル用ゴムリング２８を介して、内嵌する。この受口部２６の基部には受口ストッパ−２９を、差口部２７の基部には土砂浸入防止フランジ３０を、それぞれ形成している。
【００４６】
そして、上胴６２ａと下胴部２ｂとを嵌合状態で結合したとき、互に回動自在としながら抜け止めするため、差口部２７の外周で軸方向略中間に突条３１を、受口部２６の内周で軸方向略中間に、該突条３１が樹脂弾性による強制嵌入して、若干ガタのある嵌合溝３２を形成している。
【００４７】
したがって、上胴部２ａと下胴部２ｂとを結合するには、製造工場または施工現場等において、差口部２７にゴムリング２８を外嵌してから、差口部２７を受口部２６にやや強力に押込めば嵌合して結合でき、特に、下胴部２ｂは上胴部２ａに対し、回動自在にすることができる。
【００４８】
次に、本実施例の防臭・油分離ます１の作用を述べる。なお、この防臭・油分離ます１は上胴部２ａと下胴部２ｂおよびチ−ズ９がセットされて施工現場に持込まれる場合を述べる。
【００４９】
さて、通常の場合、建屋１７には排水用器具（例えば、流し台）が既設され、したがって、その建屋側宅内排水枝管１２が配管されている。また、宅内排水主管１３も埋設されてはいないが、建屋１７に略平行に接近して布設されている。
【００５０】
そこで、建屋側宅内排水枝管１２に防臭・油分離ます１の流入口４を接続し、次いで、この防臭・油分離ます１の下胴部２ｂを回動させてから、宅内排水枝管１４を会所ます１６の分岐口３３と接着接合する。これらの接続時にもし発生した、いわゆるジゴク配管は、会所ます１６によって調整吸収する。
【００５１】
また、別の施工例として、下胴部２ｂを、いわゆるオガミ合せ配管に用いる場合、建屋１７には排水用器具（例えば、流し台）が既設され、したがって、その建屋側宅内排水枝管１２は配管されている。また、宅内排水主管１３も埋設はされていないが、建屋１７に略平行に接近して布設されている。
【００５２】
そこで、建屋側宅内排水枝管１２に防臭・油分離ます１の流入口４を接続し、次いで、下胴部２ｂを回動させて、図２の点線のように掃除口３側を建屋１７に可及的に近接回動（約３０度）させておく。
【００５３】
一方、宅内排水主管１３に介在させている会所ます１６の分岐口３３に、短管状の宅内排水枝管１４を接着接合して、その先端側を突出させておく。
【００５４】
したがって、チ−ズ９の流出口は、平面視で第１のエルボ体８の管軸に直交しているので、下胴部２ｂを建屋１７から離すように若干回動させると、このチ−ズ９の流出口は宅内排水枝管１４に近づき、いわゆるオガミ合せ接合ができる。ひいては、極狭小地での施工性が向上する。
【００５５】
以上、いずれの場合でも、図７で示した従来例より建屋１７と宅内排水主管１３との距離Ｌｂは、試験施工によると、約２００ｍｍ短縮でき、換言すると、極狭隘地での施工が容易にできる。
【００５６】
なお、第１のエルボ体８とチ−ズ９との接合は、施工現場で行ってもよいし、工場組立の場合には、図１Ｂ矢印のようにゴム輪接合等による首振り接合してもよく、この場合、施工性は更に向上する。
【００５７】
【発明の効果】
本発明によると、ます本体の底方と第１のエルボ等で封水部を形成したトラップをもつ、通常宅内排水勾配の油分離ますにおいて、防油ますでありながら、該トラップを大きく首振り自在にしたので、このＬ字ないしＪ字形トラップの形成による小スペ−ス化の他に、建屋側近接による更なる小スペ−ス化が図られ、ひいては施工性が向上し、極狭隘地でも設置可能にすることができる。
【００５８】
また、ます本体を上胴部と下胴部とに分割したので、大形のます本体でも、金型を安価にして射出成形可能となって、量産メリットが得られると共に、流入口の支持用短管や流出口の第１のエルボを一体成形することができる。
【図面の簡単な説明】
【図１】本発明の実施例の全体の模式斜視図である。
【図２】図１の実施例の説明のための使用例を示す平面図である。
【図３】同実施例の分解断面図である。
【図４】図３の要部平面図である。
【図５】図３の他の要部詳細断面図である。
【図６】従来例である。
【図７】従来例の説明図である。
【符号の説明】
１…防臭・油分離ます、２…ます本体、２ａ…上胴部、２ｂ…下胴部、４…流入口、５…流出口、７…かご、８…第１のエルボ体、９…チ−ズ
【図１】
2004076342.tif 000003
【図２】
2004076342.tif 000004
【図３】
2004076342.tif 000005
【図４】
2004076342.tif 000006
【図５】
2004076342.tif 000007
【図６】
2004076342.tif 000008
【図７】
2004076342.tif 000009